(57)【特許請求の範囲】
【請求項１】
識別能力を備えたワイヤレス通信コンピュータ周辺インターフェースであって、
前記インターフェースがコンピュータのスロットに挿入される際に前記スロット内に配置される第１部分と、前記インターフェースが前記スロットに挿入される際に外に延びている第２部分とを含み、基本コンポーネントすなわち回路を有するハウジングと、
前記ハウジングの前記第２部分に設けられたワイヤレス通信モジュールと、
前記ハウジングの前記第２部分に設けられた加入者ＩＤモジュールと、
前記ハウジングの前記第１部分に位置し、保護のために前記加入者ＩＤモジュールに電気的に結合されたホットスワッピングプロテクタと、
前記ホットスワッピングプロテクタに接続されたカード読取機と、
電力提供のために前記カード読取機および前記ホットスワッピングプロテクタに接続された電力制御モジュールと、
を含む、インターフェース。
【請求項２】
ネットワークカードおよびユニバーサルシリアルバスを含む、請求項１記載の識別能力を備えたワイヤレス通信コンピュータ周辺インターフェース。
【請求項３】
前記ハウジングの前記第２部分の材料が電磁波通信のためにプラスチックである、請求項１記載の識別能力を備えたワイヤレス通信コンピュータ周辺インターフェース。
【請求項４】
電源がオンである際に、前記加入者ＩＤモジュールを引き抜きくことが許容される、請求項１記載の識別能力を備えたワイヤレス通信コンピュータ周辺インターフェース。
【請求項５】
前記加入者ＩＤモジュールの機能が、承認、料金支払メカニズム、および識別を含む、請求項１記載の識別能力を備えたワイヤレス通信コンピュータ周辺インターフェース。
【発明の詳細な説明】
【０００１】
【発明の属する技術分野】
本発明はコンピュータ周辺デバイスに関し、特に、ワイヤレス通信用のワイヤレスネットワークＰＣカード又はコンピュータ周辺デバイスに関する。
【０００２】
【従来の技術】
情報技術及びコンピュータ市場の絶え間ない拡張に伴い、より小型で、より高速で、更に多くの機能を持つ傾向の電気製品が迅速に増えている。現在では、ワイヤレスデバイスが大量に開発され、ワイヤレス通信の需要があるため、ワイヤレスモジュールは、ワイヤレスキーボードやワイヤレスマウスなどの進歩した電気デバイスの多くに埋め込まれている。従って、ワイヤレス送信機及びワイヤレス受信機はますます重要になっている。無線や赤外線による通信は共に、信号の送受信を行うワイヤレス送信機及びワイヤレス受信機を必要とする。
【０００３】
通常のラップトップ又はノート型パソコンは共に、パーソナルコンピュータメモリカード国際協会(Personal Computer Memory Card International Association)の規格に準拠したＰＣＭＣＩＡカードを用いており、カードは通常コンピュータのスロットに挿入される。現在は、ＰＣＭＣＩＡインターフェースを用いたモデムカード及びネットワークカードが利用可能である。遠隔地からのデータの受信や遠隔地へのデータの送信に適用されるＰＣＭＣＩＡモデムカードは、広く行き渡り、多く出まわったコンピュータ装備品となっている。モデムがバイナリ信号の情報を符号化して類似の信号の情報にすることが可能であることを、当業者は理解するであろう。
【０００４】
ワイヤレスネットワークは、モバイル機器操作スタッフやインターネット接続サービス業者の利益になる。即ち、この技術はビジネスにかなりの利点をもたらす。会議室、ホテルのロビー、及びインターネットカフェなどの特定の場所では、このワイヤレス技術を用いてワイヤレス通信やブロードバンドネットワークのサービスを提供することができる。従って、ワイヤレス技術はユーザにとっても提供者にとっても有益である。また、ＩＤ認識モジュールを用いてユーザを認識し、便宜上後払いにすることができる。
【０００５】
前述の考慮すべき事柄の故に、使用の安全性がますます重要になっている。暗号及び識別技術を適用することにより、データの漏れの防止、機密保持、及びアカウントを有するユーザの認識を促すことができる。
【０００６】
加入者ＩＤモジュール（ＳＩＭ）が、ＧＳＭ、ＤＣＳ、ＰＣＳなどの、多く出まわっている携帯電話システムに適用されている。その主な機能は、移動通信デバイスとネットワークとの間のつながりの要求の識別を保証し、ユーザを探し出すことである。ＳＩＭカードによって提供される情報は、ユーザコード、ユーザＩＤ、及びセキュリティパスワードを含む。
【０００７】
【発明が解決しようとする課題】
ワイヤレス技術が発達しているため、今日では、ワイヤレスネットワークをセットアップすることは容易である。本発明の主な目的は、識別が可能なコンピュータ間通信のワイヤレスインターフェースを提供することである。
【０００８】
【課題を解決するための手段】
本発明は、コンポーネント即ち回路を有するハウジングを含む。ハウジングは、本発明がコンピュータに挿入される際にスロット内に配置される第１の部分を含む。ハウジングの第２の部分は、コンピュータのスロットの外に延びている。ワイヤレス通信モジュールが第２部分内に配置され、信号を送信する。ＳＩＭも、ハウジングの第２部分に配置される。ホットスワッピングプロテクタがハウジングの第１部分に配置されており、保護のためにＳＩＭに電気的に結合されている。カード読取機がホットスワッピングプロテクタに接続されており、電力を提供する電力制御モジュールがカード読取機及びホットスワッピングプロテクタに接続されている。
【０００９】
前述のワイヤレス通信コンピュータ周辺インターフェースは、ネットワークカード及びユニバーサルシリアルバス（ＵＳＢ）を含む。電磁波の通信であるため、ハウジングの第２部分の材料はプラスチックが好ましい。前述の第２部分は、ネットワークカードをスロットに挿入したりスロットから引き抜いたりするためのハンドルを含むことができる。前述のＳＩＭは、ハウジングの第２部分内に設けられる。従って、ホットインサーションを用いて、コンピュータをオフにせずにワイヤレス通信コンピュータ周辺インターフェースからＳＩＭカードを引き抜くことができる。これは、損失及び盗みを防ぐためである。
【００１０】
ＳＩＭの能力は、承認、集金手段、及び識別を含む。
【００１１】
本発明の第１の態様は、識別能力を備えたワイヤレス通信コンピュータ周辺インターフェースであって、インターフェースがコンピュータのスロットに挿入される際にスロット内に配置される第１部分と、インターフェースがスロットに挿入される際に外に延びている第２部分とを含み、基本コンポーネント即ち回路を有するハウジングと、ハウジングの第２部分に設けられたワイヤレス変換モジュールと、ハウジングの第２部分に設けられた加入者ＩＤモジュールと、ハウジングの第１部分に位置し、保護のために加入者ＩＤモジュールに電気的に結合されたホットスワッピングプロテクタと、ホットスワッピングプロテクタに接続されたカード読取機と、電力提供のためにカード読取機及びホットスワッピングプロテクタに接続された電力制御モジュールと、を含む。
【００１２】
本発明の第２の態様は、第１の態様において、ネットワークカード及びユニバーサルシリアルバスを含む。
【００１３】
本発明の第３の態様は、第１の態様において、ハウジングの第２部分の材料が電磁波通信のためにプラスチックである。
【００１４】
本発明の第４の態様は、第１の態様において、第２部分は、ネットワークカードのスロットに挿入し、スロットから引き抜くためのハンドルを含む。
【００１５】
本発明の第５の態様は、第１の態様において、加入者ＩＤモジュール（ＳＩＭ）が第２部分に設けられているため、ホットスワッピング、即ち、防止すべきある特定の機能へのアクセスの承認及び識別後にデータ又は情報が盗まれたり失われたりするのを防ぐための、電源がオンである際のＳＩＭカードの引き抜き、を適用できる。
【００１６】
本発明の第６の態様は、第１の態様において、加入者ＩＤモジュールの機能が、承認、料金支払メカニズム、及び識別を含む。
【００１７】
【発明の実施の形態】
後述する詳細な説明は、図面を参照して述べられる。
【００１８】
本発明は、ネットワークカード及びＵＳＢを含むワイヤレス通信コンピュータ周辺インターフェースを開示する。これはＳＩＭを含み、ホットスワッピングをサポートする。本発明を下記のように示すが、これに限定されない。
【００１９】
図１に示すように、本発明はハウジング１００を含む。ハウジング１００は、コンポーネント即ち回路を有し、通常はプラスチック又は金属からなる上枠及び下枠によって構成される。ハウジング１００は２つの部分を含む。第１の部分１１０はコンピュータのスロット内に位置し、第２の部分１２０は本発明がコンピュータに挿入される際に外に露呈される。ワイヤレス通信モジュール１３０を、ワイヤレス通信のために第２部分に配置することができる。電磁波の送受信のため、第２部分の材料はプラスチックであることが好ましい。第２部分は、ワイヤレスネットワークカードをスロットに挿入したりスロットから引き抜いたりするためのハンドルを含む。
【００２０】
ＳＩＭ１４０は、ハウジング１００の第２部分内に配置されている。携帯電話の通常のＳＩＭのデバイスは、電源がオンの際に引き抜くことができない。これはホットスワッピングのできない状態である。即ち、電源をオフにして電池を取り出してから、ＳＩＭカードを引き抜くことができる。本発明は、この条件に適応することができる。ＳＩＭ１４０はハウジング１００の第２部分１２０に位置するため、ここでホットスワッピングが可能である。
【００２１】
ハウジング１００の第１部分は、保護のためにＳＩＭに電気的に結合されたホットスワッピングプロテクタ１５０と、ホットスワッピングプロテクタ１５０に接続されたカード読取機１６０と、電力を提供するためにカード読取機１６０及びホットスワッピングプロテクタ１５０にそれぞれ接続された電力制御モジュール１７０を含む。
【００２２】
最後に、本発明の利点は、ワイヤレス通信インターフェースの承認及び料金支払メカニズムを含む。更に、データや情報が盗まれたり失われたりすることを防ぐため、ある特定の機能へのアクセスの承認及び識別の完了後にユーザのＩＤカードを引き抜くことができる。本発明は、ワイヤレス通信を行うためのワイヤレス通信用モジュールを有する場所に配置されるのが好都合である。ワイヤレス通信用モジュールを有する前述の場所は、会議室、駅、ホテルのロビー、インターネットカフェ、展示会場、公共の場などを含む。
【００２３】
本発明は前述の通りであり、本発明の範囲及び趣意から逸脱せずに変更及び修正を許容できることを、当業者は理解するであろう。本発明の保護範囲は、請求項及び同等の定義域に従うべきである。
【図面の簡単な説明】
【図１】本発明の機能ブロック図である。
【符号の説明】
１００    ハウジング
１１０    第１の部分
１２０    第２の部分
１３０    ワイヤレス通信モジュール
１４０    加入者ＩＤモジュール（ＳＩＭ）
１５０    ホットスワッピングプロテクタ
１６０    カード読取機
１７０    電力制御モジュール
【図１】
0003820190.tif 000002